(57)【要約】 【課題】  傾斜状フランジ部の面内に貫通孔を開設する大型タイプの屋上点検口用受枠であって、受枠本体の貫通孔周囲に局部的な歪みが発生せず、しかも固定箇所ごとの締付け力を均一化し得、全体の歪みが防止できると共に、締付け固定力が強固で雨水プールによる漏水の不安がない安全な屋上点検口用受枠を提供する。【解決手段】  点検口４を囲む立上り周壁部１１と、立上り周壁部１１の下周縁に連続する水平状細幅フランジ部１２と、水平状細幅フランジ部１２の外周縁に連続し外方向へ下降傾斜する傾斜状広幅フランジ部１３と、傾斜状広幅フランジ部１３の外周縁に連続する垂直状縁部１４とからなる大型タイプの点検口用受枠であって、前記傾斜状広幅フランジ部１３の面内適所に、水平状平坦面部２を複数設けると共に、この水平状平坦面部２の面内に貫通孔２１を開設したことを特徴とする。【選択図】          図１
0003152467.tif 000002
【実用新案登録請求の範囲】
【請求項１】
点検口を囲む立上り周壁部と、立上り周壁部の下周縁に連続する水平状細幅フランジ部と、水平状細幅フランジ部の外周縁に連続し外方向へ下降傾斜する傾斜状広幅フランジ部と、傾斜状広幅フランジ部の外周縁に連続する垂直状縁部とからなる大型タイプの点検口用受枠であって、前記傾斜状広幅フランジ部の面内適所に、水平状平坦面部を複数設けると共に、この水平状平坦面部の面内に貫通孔を開設したことを特徴とする屋上点検口用受枠。
【請求項２】
前記水平状平坦面部は、傾斜状広幅フランジ部の面内に設けられた山型膨出部の頂部に配備されたものであることを特徴とする請求項１記載の屋上点検口用受枠。
【請求項３】
前記水平状平坦面部は、傾斜状広幅フランジ部の面内に設けられた谷型凹部の底部に配備されたものであることを特徴とする請求項１記載の屋上点検口用受枠。
【考案の詳細な説明】
【技術分野】
【０００１】
この考案は、建物の屋上に設置され、屋内から屋上へ出て各施設を点検するために使用される屋上点検口用受枠に関する。
【背景技術】
【０００２】
屋上点検口用受枠は、点検口ハッチの一構成部材として用いられる。
図４ないし図５で示すように、点検口ハッチ５は点検口４の周囲に配備される受枠本体（屋上点検口用受枠）１と、この受枠本体にヒンジ５１ｂ及び多段ステー５２を介して配備される開閉天板５１とから成る。
【０００３】
上記受枠本体１は、点検口４を囲む立上り周壁部１１と、周壁部１１の下周縁に連続する水平状フランジ部１２と、フランジ部１２の外周縁に連続し、外方向へ下降傾斜する傾斜状フランジ部１３と、傾斜状フランジ部１３の外周縁に連続する垂直状縁部１４とから構成される。
【０００４】
現在、上記受枠本体１には、２種類のタイプが存在する。すなわち、図４で示す大型タイプ（傾斜状フランジ部の幅・長さが大きく、且つ水平状フランジ部が存在しない。或いは水平状フランジ部が極端に細幅であるタイプ）と、小型タイプ（水平状フランジ部が傾斜状フランジ部より幅広であるタイプ）とに大別される。
【０００５】
これらの受枠本体１の天井躯体４１への固定は、上記、大型タイプでは、傾斜状フランジ部１３の面内に貫通孔（取付け用孔）６を開設し、小型タイプでは水平状フランジ部１２に貫通孔６を開設している。
【０００６】
そして、大型・小型タイプともに、図５で示すように、アンカーボルト３の基端部３３を天井躯体４１に埋設し、先端部３１を受枠本体１の貫通孔６に挿通し、ナット３２で固定している。
【特許文献１】実開昭６１−６９３９５号公報
【考案の開示】
【考案が解決しようとする課題】
【０００７】
屋上点検口用受枠の上記大型タイプ（傾斜状フランジ部に貫通孔を開設タイプ）では、受枠本体のうち最も大きい面積を占める部分を傾斜状に設定しているため、雨水のプールや漏水の虞れは少ない。
【０００８】
ところが、この傾斜状広幅フランジ部に取付け用の貫通孔を開設しているため、図５で示すように、アンカーボルト３の先端部３１に対しナット３２を締め付けると、水平状ナット下面３２ａと傾斜状フランジ部１３面との間に隙間７が生じる不利がある。
【０００９】
この隙間を小さくするために、ナットを強く締めると、傾斜状フランジ部（貫通孔周囲）に偏荷重がかかり局部的な歪みを生じさせる不利がある。また、ナットの締め付けは、複数の箇所で行うため、固定箇所ごとに締め付け力にバラツキが生じやすく、その結果、傾斜状フランジ部全体にねじれ方向の歪みを発生させる等の欠点があった。
【００１０】
一方、屋上点検口用受枠の前記小型タイプ（水平状フランジ部に貫通孔を開設タイプ）では、大型タイプが持つ上記不利はない。しかしながら、小型タイプを大径の点検口に使用し得ないのはもとより、水平状フランジ部の占める面積を大きくすることは（水平状フランジ部を広幅とすることは）、雨水のプールを防ぐ観点および耐荷重の観点からも実行し難い。
【００１１】
この考案は、以上のような課題を解消させ、傾斜状フランジ部の面内に取り付け用貫通孔を開設する大型タイプの屋上点検口用受枠であって、受枠本体の貫通孔周囲に局部的な歪みが発生せず、しかも固定箇所ごとの締付け力を均一化し得、全体の歪みが抑制できると共に、締付け固定力が強固で雨水プールによる漏水の不安のない安全な屋上点検口用受枠を提供することを目的とする。
【課題を解決するための手段】
【００１２】
この目的を達成させるために、この考案の屋上点検口用受枠では、次のような構成としている。
【００１３】
屋上点検口用受枠は、点検口を囲む立上り周壁部と、立上り周壁部の下周縁に連続する水平状細幅フランジ部と、水平状細幅フランジ部の外周縁に連続し外方向へ下降傾斜する傾斜状広幅フランジ部と、傾斜状広幅フランジ部の外周縁に連続する垂直状縁部とからなる大型タイプの点検口用受枠であって、前記傾斜状広幅フランジ部の面内適所に、水平状平坦面部を複数設けると共に、この水平状平坦面部の面内に貫通孔を開設したことを特徴としている。
【考案の効果】
【００１４】
この考案では以上のように、比較的大径の点検口に対応する所謂大型タイプの屋上点検口用受枠であって、傾斜状広幅フランジ部の面内適所に複数の水平状平坦面部を設け、且つ水平状平坦面部の面内に取付け用の貫通孔を開設することとしたから、貫通孔を挿通するアンカーホルトの先端部にセットするナット下面と水平状平坦面とが平行状に接面する。
【００１５】
従って、従来のようにナットと傾斜状フランジ部との間に、外方向へ拡開する隙間が生じる不利は解消される。この結果、仮にナットを強力に締め付けた場合であっても、貫通孔周囲に局部的な歪みを発生させる虞れがない。
【００１６】
更に、受枠本体の複数箇所で行うナット締めは、固定箇所ごとの締め付け力が均一化する。従って、傾斜状フランジ部全体にねじれ方向の歪みを発生させる等の欠点を解消し得る許かりでなく、締め付け状態が安定するから、受枠本体に水平方向の力が作用した場合であっても雨水対策用の溶接部に亀裂を生じさせる虞れがない。
【００１７】
また、貫通孔周囲の水平状平坦面部とナットが平行となることで、従来行っていた雨水対策用の溶接作業をパッキン材の介在配備ですむなど、安全且つ現場施行が簡単容易になる等、考案目的を達成した優れた効果を有する。
【考案を実施するための最良の形態】
【００１８】
以下、図面に基づき本考案に係る屋上点検口用受枠の具体的な実施の形態を説明する。
図１は、屋上点検口用受枠を含む点検口ハッチを示す斜視図である。
【００１９】
点検口ハッチ５は、点検口４を囲む受枠本体１と、受枠本体１に対し嵌脱可能に取り付けられる開閉天板５１とで構成される。
【００２０】
開閉天板５１は、例えばステンレス材の板金加工で、方形天板の外周を一周する周壁５１ａを折り曲げ形成している。後述する受枠本体１の立上り周壁部１１との間に、ヒンジ５１ｂおよび固定ケース部５２ｂと出没先端部５２ａからなる多段ステー５２を介在配備して、開閉天板５１の容易な開閉を実現している。
【００２１】
上記受枠本体１は、例えばステンレス材の板金加工品で、点検口４を囲む方形枠状の立上り周壁部１１と、立上り周壁部１１の下周縁に連続する水平状細幅フランジ部１２と、細幅フランジ部１２の外周縁に連続し、外方向へ下降傾斜する傾斜状広幅フランジ部１３と、傾斜状広幅フランジ部１３の外周縁に連続する垂直状縁部とから成る。
【００２２】
つまり、この受枠本体１は、受枠本体の全体面積に対し、水平状細幅フランジ部１２の占める面積が小さく、且つ傾斜状広幅フランジ部１３の占める面積を大きく設定した、所謂大型タイプ（大径点検口用）の受枠本体１である。
【００２３】
この考案の特徴は、前記傾斜状広幅フランジ部１３の面内に複数（実施の形態では８個）の水平状平坦面部２を配備した点にある。
【００２４】
水平状平坦面部２は、実施の形態では、山型膨出部２２の面内頂部に設けられている。具体的には、山型膨出部２２は平面形状が円形又は楕円形で、水平状平坦面部２は平面形状を円形に設定し、上記立上り周壁部１１側に偏心して配備している。
【００２５】
更に、水平状平坦面部２の面内には、平坦面部２に対し同芯円状に取付け用の円形貫通孔２１を開設している。これにより、後述する取り付けナット３２と、貫通孔２１周縁すなわち水平状平坦面部２とが平行状に接面する。
【００２６】
図３は、水平状平坦面部２の他の実施の形態を示す断面図である。
【００２７】
前記実施の形態（図１及び図２）では、傾斜状広幅フランジ部１３の面内適所に、複数の山型膨出部２２を突設した例を示したが、この実施の形態では山型膨出部２２に変えて、谷型凹部２３を窪み形成している。
【００２８】
つまり、広幅フランジ部１３の傾斜面であって、立上りフランジ部１１側を傾斜面の傾斜角度より鋭角に凹ませて谷型凹部２３を設け、且つ鋭角傾斜面に続く底面を水平状平坦面部２としている。更に、この平坦面部２の面内中央に貫通孔２１を開設している。
【００２９】
前記実施の形態（図１及び図２）では、山型膨出部２２であるから、雨水のプールがなく捌けが良好である。また、谷型凹部２３では水平状平坦面部２の垂直縁部１４側と傾斜状広幅フランジ部１３との連続する間に凹み段差が無いため、雨水プールの不安がない許かりでなく、単に傾斜面の一部を凹ますのみの簡単な板金加工で実現し得る。
【００３０】
このような構成を有する屋上点検口用受枠では、図２（図３）のように、屋上躯体４１に取付けされる。
【００３１】
点検口４周囲の屋上躯体４１には、アンカーボルト３の基端部３３が埋設してある。ボルト３の先端部３１を傾斜状幅広フランジ部１３の貫通孔２１に挿通させナット３２を螺着する。
【００３２】
ここで、ナット３２を締め付けると、ナット３２下面と水平状平坦面部２とが平行状に接面し支承される。これにより、傾斜状幅広フランジ部１３面内において、ナット３２を強く締めても荷重は重合接面する水平状平坦面部２で受け止められ、局部的或いは全体的な歪みを生じさせることがなく、安全且つ強固に止めつけできる。
【図面の簡単な説明】
【００３３】
【図１】実施の形態の屋上点検口用受枠を示す斜視図である。
【図２】屋上点検口用受枠を屋上躯体に固定する状態を示す断面図である。
【図３】屋上点検口用受枠の他の実施の形態を示す断面図である。
【図４】従来の屋上点検口用受枠を示す斜視図である。
【図５】従来の屋上点検口用受枠を屋上躯体に固定する状態を示す断面図である。
【符号の説明】
【００３４】
１      受枠本体
２      水平状平坦面部
３      アンカーボルト
４      点検口
５      点検口ハッチ
１１    立上り周壁部
１２    水平状細幅フランジ部
１３    傾斜状幅広フランジ部
１４    垂直状縁部
２１    貫通孔
２２    山型膨出部
２３    谷型凹部
３１    先端部
３２    ナット
４１    天井躯体
５１    開閉天板
【図１】
0003152467.tif 000003
【図２】
0003152467.tif 000004
【図３】
0003152467.tif 000005
【図４】
0003152467.tif 000006
【図５】
0003152467.tif 000007